(57)【要約】【課題】中仕切りカートンに易開封性トップオープン機能を付与した形状のカートンを易開封中仕切りカートンであって、一つのカートンの中に二つの商品を分別して収納することができ、かつ、カートンの中に巻き込んだ連結板を利用して絵柄、表示等の印刷を施すことができる易開封中仕切りカートンを提供することにある。【解決手段】本発明は、側板、天板、側板、底板、糊代板、連結板、仕切り板、貼着片をそれぞれ折れ線を介して順次連設し、天板の両側辺にはそれぞれ前板と後板を折れ線を介して連設し、底板の両側辺にはそれぞれ前下板と後下板を折れ線を介して連設したカートンブランクを組み立ててなるカートンで、貼着片を後板内面に貼着固定し、該カートン内を仕切り板によって２分割した中仕切りカートンであって、天板と前板に渡って並行する破断線を設け、該破断線を引き裂くことにより、天板および前板の一部をそれぞれ開閉部分として開口可能としたことを特徴とする易開封中仕切りカートンである。【選択図】図１
2005088974.tif 000002
【特許請求の範囲】
【請求項１】
側板、天板、側板、底板、糊代板、連結板、仕切り板、貼着片をそれぞれ折れ線を介して順次連設し、前記天板の両側辺にはそれぞれ前板と後板を折れ線を介して連設し、前記底板の両側辺にはそれぞれ前下板と後下板を折れ線を介して連設したカートンブランクを組み立ててなるカートンで、前記貼着片を前記後板内面に貼着固定し、該カートン内を仕切り板によって２分割した中仕切りカートンであって、
前記天板に並行する天板破断線を設け、前記前板に前記天板破断線に連続して前板破断線を辺縁まで設け、該前板破断線および前記天板破断線を引き裂くことにより、前記天板および前記前板の一部をそれぞれ開閉部分として開口可能としたことを特徴とする易開封中仕切りカートン。
【請求項２】
前記前板の辺縁中央に前記前板破断線の間隔を狭くして摘まみ部を設けたことを特徴とする請求項１に記載の易開封中仕切りカートン。
【請求項３】
前記前下板に前記摘まみ部を差し込む切り込みを設けたことを特徴とする請求項２に記載の易開封中仕切りカートン。
【請求項４】
前記連結板の表面に印刷により絵柄、表示等を付与したことを特徴とする請求項１乃至３のいずれかに記載の易開封中仕切りカートン。
【請求項５】
前記連結板と前記仕切り板との折れ線をミシン目、リード罫、半切れ、半切れミシン目として、前記連結板を前記仕切り板から切り取り可能としたことを特徴とする請求項１乃至４のいずれかに記載の易開封中仕切りカートン。
【発明の詳細な説明】
【技術分野】
【０００１】
本発明は、菓子類や食品などの商品を収納した中に他の商品を区別して収納するためのカートンであって、天板および前板に開閉部分を設け内容物を取り出しやすくした易開封中仕切りカートンに関するものである。
【背景技術】
【０００２】
従来より、菓子類や食品などの商品を収納した中に他の商品を区別して収納するためのカートンとしては、仕切り板に連設された貼着片を後板の内面に貼着固定して、カートン内を仕切り板によって２分割した構成の中仕切りカートンが実用化されている（例えば、特許文献１参照。）。
【０００３】
また、菓子類や食品などの商品を収納し、商品を取り出す開閉部分を設け、取り出し易くした形状の易開封カートンが用いられており、代表的なものとして、図６−ａに示すように、前板１９から天板１２に渡る開閉部分である前板開閉部分Ｑと天板開閉部分Ｐを設けた横置きタイプのものが知られている。この易開封カートン２は、前板１９の一部からなる摘まみ部１９ａを引っ張り、一対の前板破断線ｑ、ｑと天板破断線ｐ、ｐを破断することにより、図６−ｂに示すように前板開閉部分Ｑおよび天板開閉部分Ｐを開けることで商品を取り出すようになっている。また、一旦開けた開閉部分Ｑは、摘まみ部１９ａを前下板２１の切り込み２１ａに差し込んで閉じるようになっている。
【特許文献１】実登録２５１９３７２号公報
【発明の開示】
【発明が解決しようとする課題】
【０００４】
しかしながら、従来の中仕切りカートンでは、前板および天板を広く開封する所謂トップオープン型の開封機能を有する形状は提案されていない。従って、従来の中仕切りカートンでは、収納された商品を取り出すことが容易ではなく、さらに、カートンの中に巻き込まれた連結板の表面を利用して絵柄、表示等の印刷を施すことができない形状であった。
【０００５】
本発明は、上記の如き従来の中仕切りカートンに易開封性トップオープン機能を付与した形状のカートンを易開封中仕切りカートンであって、その目的とするところは、一つのカートンの中に二つの商品を分別して収納することができ、前板および天板を広く開口して収納した商品を容易に取り出すことができ、かつ、カートンの中に巻き込んだ連結板を利用して絵柄、表示等の情報が記載できる領域を拡げることができる易開封中仕切りカートンを提供することにある。
【課題を解決するための手段】
【０００６】
上記目的を達成するため、本発明は、側板、天板、側板、底板、糊代板、連結板、仕切り板、貼着片をそれぞれ折れ線を介して順次連設し、前記天板の両側辺にはそれぞれ前板と後板を折れ線を介して連設し、前記底板の両側辺にはそれぞれ前下板と後下板を折れ線を介して連設したカートンブランクを組み立ててなるカートンで、前記貼着片を前記後板内面に貼着固定し、該カートン内を仕切り板によって２分割した中仕切りカートンであって、前記天板に並行する天板破断線を設け、前記前板に前記天板破断線に連続して前板破断線を辺縁まで設け、該前板破断線および前記天板破断線を引き裂くことにより、前記天板および前記前板の一部をそれぞれ開閉部分として開口可能としたことを特徴とする易開封中仕切りカートンである。また、前記前板の辺縁中央に前記前板破断線の間隔を狭くして摘まみ部を設け、前記前下板に前記摘まみ部を差し込む切り込みを設けたことを特徴としている。さらに、前記連結板の表面に印刷により絵柄、表示等を付与したことを特徴とし、前記連結板と前記仕切り板との折れ線をミシン目、リード罫、半切れ、半切れミシン目として、前記連結板を前記仕切り板から切り取り可能としたことを特徴としている。
【０００７】
また、前記前面カバーパネルの外縁中央に摘まみ部を設け、該摘まみ部の切り込みの根元から両側に外側線と平行に破断線を設け、前記前面パネルに前記摘まみ部を差し込む切り込みを設けたことを特徴とする。
【０００８】
さらに、前記前面パネルの前記切り欠け部に隣接する部分に切り取り部を設け、前記前面カバーパネルを開封すると共に切り取られることを特徴とし、そして、前記前面パネルに前記前面カバーパネルを差し込む一対の切り込みを設けたことを特徴とする。
【発明の効果】
【０００９】
本発明の易開封中仕切りカートンは上述の如く、カートンの中に一つの商品を収納した中に他の商品を区別して収納することができるものであり、すなわち、別部材としての中仕切りを一切不要とし中仕切りをカートンと一体としていることを特徴とし、１枚のブランクを組み立てることにより形成することが可能であり、その製造工程における作業性を著しく向上させることが出来るという効果を有している。また、仕切り板に連設された貼着片が箱の内面に貼着されているので、仕切り板を強固に安定させることが出来ることによって、中仕切りの中に収納する商品を安全に保護することが出来るという効果を有している。
【００１０】
また、前板の辺縁中央に設けた摘まみ部を摘まみ、前板の前板破断線を引き裂いて前板の開閉部分を開封し始め、引き続いて天板の天板破断線を引き裂いて天板の開閉部分を開口することができ、収納された商品を簡単に取り出すことができるという効果を有している。この状態で、連結板に印刷された絵柄、表示等を見ることができ、連結板を仕切り板から切り離すことにより、中仕切りの中に収納された商品を取り出すことができるが、このように連結板の表面を利用して絵柄、表示等の印刷を施すことができることによって、印刷表示可能範囲を広げることができるという効果も有している。
【発明を実施するための最良の形態】
【００１１】
以下、本発明の実施の形態について図面を参照して説明する。
【００１２】
図１は、本発明の易開封中仕切りカートンの一実施例を示す斜視図である。、易開封中仕切りカートン１は、前板１９、天板１２、後板２０、底板１４、両側板１１、１３からなる直方体のカートンであり、天板１２には、一対の並行する天板破断線ｐ、ｐが設けられ、前板１９には、天板破断線ｐ、ｐに連続して一対の前板破断線ｑ、ｑが辺縁まで設けられ、該前板破断線ｑ、ｑおよび天板破断線ｐ、ｐを引き裂くことにより、前板１９の一部の前板開閉部分Ｑおよび天板１２の一部の天板開閉部分Ｐを開口可能としている。また、前板１９の中央辺縁は、前板開閉部分Ｑが開封しやすいように前板破断線ｑ、ｑ間の幅を狭くして摘まみ部１９ａとしている。
【００１３】
図２−ａは、図１の易開封中仕切りカートン１の開閉部分を開けた状態を示す斜視図であり、前板１９の摘まみ部１９ａを摘んで開封し、前板１９の前板開閉部分Ｑおよび天板１２の天板開閉部分Ｐを開口した状態を示している。この開口した状態で、仕切り板１７と底板１４の一部と側板１３とで囲まれたＡ室に収納されている商品を取り出すことができると共に、連結板１６に施されている絵柄、表示等を見ることができる。さらに、図２−ｂに示すように、連結板１６を仕切り板１７から切り離すことにより、連結板１６と仕切り板１７と底板１４の一部と糊代板１５とで囲まれたＢ室から他の商品を取り出すことができ、開口された易開封中仕切りカートン１の中は、仕切り板１７により、Ａ室とＢ室とに２分割される。そして、再封できるように、前板１９の摘まみ部１９ａを差し込む切り込み２１ａを前下板２１に設けている。
【００１４】
図３は、図１の易開封中仕切りカートン１を組み立てるブランクを示す展開図であり、ブランク１０では、横方向の折れ線ａ、ｂ、ｃ、ｄ、ｅ、ｆを介して側板１１、天板１２、側板１３、底板１４、側板１５、連結板１６、仕切り板１７、貼着片１８が連設され、天板１２の左右の辺には折れ線ｈ、ｉを介してそれぞれ前板１９と後板２０が連設され、底板１４の左右の辺には折れ線ｊ、ｋを介してそれぞれ前下板２１と後下板２２が連設され、そして、側板１１の左右の辺には折れ線ｌ、ｍを介してそれぞれ折り込み片２３、２４が連設され、側板１３の左右の辺には折れ線ｎ、ｏを介してそれぞれ折り込み片２５、２６が連設されている。また、折れ線ｆは、連結板１６が仕切り板１７から切り取りやすいように、ミシン目、リード罫、半切れ、半切れミシン目等としている。さらに、折れ線ｅは、連結板１６が糊代板１５から切り取りやすいように、ミシン目、リード罫、半切れ、半切れミシン目等とすることが好ましい。このようにすることによって、連結板１６を易開封中仕切りカートン１から切り離すことができる。
【００１５】
また、天板１２には、横方向に一対の天板破断線ｐ、ｐを設けられている。この一対の天板破断線ｐ、ｐにより囲まれる領域は天板開閉部分Ｐとなり、天板１２の一対の天板破断線ｐ、ｐが破断され開口される。この一対の天板破断線ｐ、ｐは必ずしも平行である必要はなく、傾斜した線であってもよい。また、天板破断線ｐは直線ではなく、曲線であってもよい。従って、天板開閉部分Ｐの形状は、四辺形、台形が基本であるが、種々の形状とすることができる。この一対の天板破断線ｐ、ｐは、破断しやすいように、Ｙ字状切れ目、Ｌ字状切れ目、ミシン目などで設けることが好ましい。
【００１６】
また、前板１９には、天板１９の天板破断線ｐ、ｐに連続して一対の前板破断線ｑ、ｑが設けられている。この一対の前板破断線ｑ、ｑにより囲まれる領域は前板開閉部分Ｑとなり、前板１９の一対の前板破断線ｑ、ｑが破断され開封される。また、この前板破断線ｑ、ｑは前板１９の辺縁では指で摘まみやすいように、間隔を狭くし摘まみ部１９ａとしている。この摘まみ部１９ａを摘まみ、前板破断線ｑ、ｑを切り裂くことから開封を始めることができる。さらに、前下板２１には、摘まみ部１９ａに対応する位置に、前板１９の差し込み片１９ａを差し込むための切り込み２１ａが設けられている。
【００１７】
上記のブランク１０から易開封中仕切りカートン１を組み立てて商品を収納するには、まず、仕切り板１７および貼着片１８を折れ線ｇで連絡板１６側に折返し、つぎに、糊代板１５を折れ線ｄで底板１４側に折り曲げて貼着片１８を底板１４の内面に貼着する。ついで、天板１２を折れ線ｂで側板１３側に折り曲げて、糊代板１５と側板１１とを貼り合わせて、図４−ａに示すように、折り畳んだ状態の易開封中仕切りカートン１とすることができる。
【００１８】
つぎに、このサック貼りして折り畳んだ状態の易開封中仕切りカートン１を、図４−ｂに示すように、実際に内容物を充填する工程で角筒状に起こし、両方の折り込み片２４、２６を内側に折り曲げてから、後下板２２、後板２０の順にそれぞれ内側に折り曲げて互いに接着することにより、図４−ｃに示すように、一方の側を閉鎖する。この状態で他方の側面開口から内容物を充填する。このように内容物を収納した後、図４−ｄに示すように、両方の折り込み片２３、２５を内側に折り曲げてから、前下板２１、前板１９の順にそれぞれ内側に折り曲げて互いに接着することにより他方の側を閉鎖する。これにより図１に示す易開封中仕切りカートン１が作成される。
【００１９】
図１の易開封中仕切りカートン１を開封するには、従来の易開封カートンと同様、図５−ａに示すように、前板１９の摘まみ部１９ａを摘んで引っ張り上げ、そして、摘まみ部１９ａの横への前板破断線ｑ、ｑを引き裂いて前板開閉部分Ｑを開封しはじめる。引き続いて前板１９の前板開閉部分Ｑを開封した後に、図５−ｂに示すように、天板１２の天板開封部分Ｐを両側の天板破断線ｐ、ｐに沿って引き裂くことにより、図２に示すように、前板開閉部分Ｑと天板開封部分Ｐが開口された状態とする。この状態でＡ室に収納されている商品を取り出すことができ、同時に、連結板１６に印刷されている絵柄、表示等を見ることができる。さらに、連結板１６を仕切り板１７から切り離すことにより、Ｂ室が表出しＢ室に収納された商品を取り出すことができる。
【００２０】
また、一旦開けた部分を再封する際には、摘まみ部１９ａを、前下板２１に設けられている切り込み２１ａに差し込んで係止することができる。
【００２１】
本実施例は再封の方法に関する一つの例を示したに過ぎず、この形状に限定されるものではない。
【実施例】
【００２２】
以下、本発明による包装体の実施例について説明する。
【００２３】
〔実施例１〕
まず、坪量３１０ｇ／ｍ2 の板紙（商品名：ウルトラＨ（大昭和製紙株式会社製））の表面に絵柄、文字などの印刷を、オフセット印刷で施した。印刷の表面には、つや出しの表面加工も行った。この多面付けで印刷および表面加工を行った枚葉状の板紙から図３に示すような所定の形のブランクに打ち抜いた。
【００２４】
つぎに、仕切り板１７および貼着片１８を折れ線ｇで連絡板１６側に折返し、つぎに、糊代板１５を折れ線ｄで底板１４側に折り曲げて貼着片１８を底板１４の内面に貼着する。ついで、天板１２を折れ線ｂで側板１３側に折り曲げて、糊代板１５と側板１１とを貼り合わせて、折り畳んだ状態の易開封中仕切りカートン１とした。
【００２５】
ついで、このサック貼りして折り畳んだ状態の易開封中仕切りカートン１を、実際に内容物を充填する工程で角筒状に起こし、両方の折り込み片２４、２６を内側に折り曲げてから、後下板２２、後板２０の順にそれぞれ内側に折り曲げて互いに接着して一方の側を閉鎖した。この状態で他方の側面開口から内容物を充填した。このように内容物を収納した後、同様にして他方の側を閉鎖した。これにより図１に示す易開封中仕切りカートン１を作成した。
【００２６】
この易開封中仕切りカートン１は、前板１９の摘まみ部１９ａを摘んで引っ張り上げ、そして、摘まみ部１９ａの横への前板破断線ｑ、ｑを引き裂いて前板開閉部分Ｑを開封しはじめ、引き続いて前板１９の前板開閉部分Ｑを開封した後に、天板１２の天板開封部分Ｐを両側の天板破断線ｐ、ｐに沿って引き裂くことにより、前板開閉部分Ｑと天板開封部分Ｐが開口された状態とすることができた。この状態でＢ室に収納されている商品を取り出すことができ、同時に、連結板１６に印刷されている絵柄、表示等を見ることができた。さらに、連結板１６を仕切り板１７から切り離すことにより、Ｂ室が表出しＢ室に収納された商品を取り出すことができた。
【００２７】
また、一旦開けた部分を再封する際には、前下板２１に設けられている切り込み２１ａに摘まみ部１９ａを差し込んで係止することができた。
【産業上の利用可能性】
【００２８】
具体的な用例としては、「おまけ」付き菓子等を収納するカートン等に使用することができ、連結板、仕切り板で囲まれたＢ室に玩具等の「おまけ」を収納することができる。また、連結板には、種々の情報を記載することができ、例えば、「くじ」の当たり、外れ、ポイント、収集用のカード等に利用することができる。
【図面の簡単な説明】
【００２９】
【図１】本発明の易開封中仕切りカートンの一実施例を示す斜視図である。
【図２】図１の易開封中仕切りカートンの開閉部分を開けた状態を示す斜視図である。
【図３】図１の易開封中仕切りカートンを形成するブランクを示す展開図である。
【図４】図３のブランクから本発明の易開封中仕切りカートンを組み立てる工程を説明する図である。
【図５】本発明の易開封中仕切りカートンの開封を説明する図である。
【図６】従来の易開封カートンの一例を示す斜視図である。
【符号の説明】
【００３０】
１    易開封中仕切りカートン
２    従来の易開封カートン
１０    ブランク
１１    側板
１２    天板
１３    側板
１４    底板
１５    糊代板
１６    連結板
１７    仕切り板
１８    貼着片
１９    前板
１９ａ  摘まみ部
２０    後板
２１    前下板
２１ａ  切り込み
２２    後下板
２３    折り込み片
ｐ    天板破断線
ｑ    前板破断線
Ｐ    天面開閉部分
Ｑ    前板開閉部分
ａ〜ｋ  折れ線
【図１】
2005088974.tif 000003
【図２】
2005088974.tif 000004
【図３】
2005088974.tif 000005
【図４】
2005088974.tif 000006
【図５】
2005088974.tif 000007
【図６】
2005088974.tif 000008